(57)【要約】【課題】セキュリティレベルの低下を招くことなく利便性を向上させ、また、コスト的にも有利なエレベータのセキュリティシステムを提供する。【解決手段】携帯端末１０が電源オンの状態で玄関口セキュリティゲート８に接近すると、携帯端末１０と玄関口キーリーダ９との間で信号Ｓ1〜Ｓ3のやり取りがあり、玄関口キーリーダ９は読取信号Ｓ4を出力する。キー制御装置１１は読取信号Ｓ4に含まれる認証データにより認証処理を行い玄関口セキュリティゲート８を開放する。このとき、エレベータインタフェース装置１２からのエレベータ呼び戻し要求Ｓ7により高層エレベータ制御装置１５は乗りかご５を玄関階に応答させる。この号機情報Ｓ8に基づく乗場案内情報は携帯端末１０の画面に表示される。【選択図】図２
2009220924.tif 000002
【特許請求の範囲】
【請求項１】
電源オンの状態でワイヤレス信号を発信する携帯端末と、
建物の玄関口セキュリティゲートに設置され、建物外より接近中の前記携帯端末からのワイヤレス発信信号を受信した場合に認証データ要求信号を前記携帯端末に送信し、この携帯端末から返信される認証データを読み取り、その読取信号を出力する玄関口キーリーダと、
前記玄関口キーリーダからの読取信号を入力して認証処理を行い、認証成功の場合に前記玄関口セキュリティゲートを開放すると共に、認証データを出力するキー制御装置と、
前記キー制御装置からの認証データを入力し、この認証データに含まれる部屋番号が付加されたエレベータ呼び戻し要求を出力するエレベータインタフェース装置と、
前記エレベータインタフェース装置からのエレベータ呼び戻し要求を入力した場合、前記部屋番号を参照していずれかの乗りかごを応答かごとして割り当て、この応答かごを玄関階に呼び戻すエレベータ制御装置と、
を備えたことを特徴とするエレベータのセキュリティシステム。
【請求項２】
前記エレベータ制御装置は、前記エレベータ呼び戻し要求に基づき前記玄関階に呼び戻す乗りかごの号機情報を前記エレベータインタフェース装置に返送し、
前記エレベータインタフェース装置は、この返送された号機情報を前記キー制御装置に返送し、
前記キー制御装置は、この返送された号機情報を前記玄関口キーリーダに返送し、
前記玄関口キーリーダは、この返送された号機情報が含まれるワイヤレス信号を前記携帯端末に向けて送信し、
前記号機情報が含まれるワイヤレス信号を受信した携帯端末は、玄関階乗場での乗車号機及び待機位置を画面表示する、
ことを特徴とする請求項１記載のエレベータのセキュリティシステム。
【請求項３】
前記玄関口キーリーダは、前記携帯端末からのワイヤレス発信信号を受信中は携帯端末検出信号を出力するものであり、
前記エレベータインタフェース装置は、前記携帯端末検出信号を前記キー制御装置を介して入力し、前記エレベータ制御装置から返送された前記号機情報を入力した時点で、この携帯端末検出信号を入力していない場合は、前記携帯端末は前記玄関口キーリーダの送受信領域外に移動したと見なし、前記号機情報をインターネットを介したメールにより前記携帯端末に送信し、
前記メールを受信した携帯端末は、前記玄関階乗場での乗車号機及び待機位置を画面表示する、
ことを特徴とする請求項２記載のエレベータのセキュリティシステム。
【請求項４】
前記携帯端末からのワイヤレス発信信号を受信中の前記玄関口キーリーダは、この携帯端末の移動方向が建物内から建物外へ向かう方向である場合は、前記携帯端末検出信号を出力しないものである、
ことを特徴とする請求項３記載のエレベータのセキュリティシステム。
【請求項５】
前記乗りかごの室内に設置され、かご内の前記携帯端末からのワイヤレス発信信号を受信した場合に認証データ要求信号を前記携帯端末に送信し、この携帯端末から返信される認証データを読み取り、その読取信号を出力するかご内キーリーダを備えており、
前記かご内キーリーダからの読取信号は、前記エレベータ制御装置、及び前記エレベータインタフェース装置を介して前記キー制御装置に出力され、
前記読取信号を入力したキー制御装置は、前記携帯端末を携帯するエレベータ利用者が乗車号機を間違えたと判別した場合に、間違い乗車信号を前記エレベータインタフェース装置を介して前記エレベータ制御装置に出力し、
前記間違い乗車信号を入力した前記エレベータ制御装置は、前記乗りかご内のエレベータ利用者に対して間違い乗車である旨及びその乗りかごには乗車できない旨を報知すると共に、このエレベータ利用者が乗りかごから降車しない限り乗りかごを発車させない、
ことを特徴とする請求項１記載のエレベータのセキュリティシステム。
【請求項６】
前記玄関階のエレベータ乗場の乗場セキュリティゲートに設置され、乗場ドア前の前記携帯端末からのワイヤレス発信信号を受信した場合に認証データ要求信号を前記携帯端末に送信し、この携帯端末から返信される認証データを読み取り、その読取信号を前記キー制御装置に出力する乗場キーリーダを備えており、
前記キー制御装置は、前記乗場キーリーダからの読取信号を入力して認証処理を行い、認証成功の場合に前記乗場セキュリティゲートを開放する、
ことを特徴とする請求項１記載のエレベータのセキュリティシステム。
【請求項７】
前記建物の玄関口セキュリティゲート付近に設置され、来訪者が建物内の居住者を呼び出すための玄関インターホンと、
前記建物内の各住居に設けられ、前記玄関インターホンとの間で通話が可能であると共に、所定操作により前記玄関口セキュリティゲートを開放するための開放指令を出力する住居インターホンと、
前記住居インターホンからの開放指令の入力により、前記玄関口セキュリティゲートを開放すると共に、その住居の部屋番号を前記エレベータインタフェース装置に出力するインターホン制御装置とを備え、
前記エレベータインタフェース装置は、前記インターホン制御装置からの部屋番号が付加されたエレベータ呼び戻し要求を前記エレベータ制御装置に出力し、
前記エレベータ制御装置は、このエレベータ呼び戻し要求に基づき前記応答かごを玄関階に呼び戻す、
ことを特徴とする請求項１記載のエレベータのセキュリティシステム。
【請求項８】
前記玄関階のエレベータ乗場の乗場セキュリティゲート付近に設置され、来訪者が建物内の居住者を呼び出すための乗場インターホンを備え、
前記住居インターホンは、前記乗場インターホンとの間で通話が可能であると共に、所定操作により前記乗場セキュリティゲートを開放するための開放指令を出力し、前記インターホン制御装置は、この開放指令の入力により前記乗場セキュリティゲートを開放する、
ことを特徴とする請求項７記載のエレベータのセキュリティシステム。
【請求項９】
インターネットに接続された予約認証サーバを備えており、
前記建物内の居住者は、来訪予定者の来訪予定日時及びメールアドレスを前記インターネットを介して前記予約認証サーバに登録可能であり、
前記予約認証サーバは、前記登録に基づき来訪予定日時及び有効期限が付された認証許可データを前記来訪予定者の携帯端末に対して送信すると共に、この認証許可データを前記キー制御装置に出力して保持させておき、
前記キー制御装置は、前記来訪予定日時の有効期限内に前記認証許可データについての読取信号を前記玄関口キーリーダから入力した場合は、認証成功とする認証処理を行う、
ことを特徴とする請求項１記載のエレベータのセキュリティシステム。
【発明の詳細な説明】
【技術分野】
【０００１】
本発明は、エレベータのセキュリティシステムに関するものである。
【背景技術】
【０００２】
最近はマンション、アパート、又は団地等の集合住宅用建物の多くに、防犯又はプライバシー保護などを目的としたセキュリティシステムが導入されるようになってきている。そして、これらの多くのセキュリティシステムはエレベータ制御と連動するようになっている。
【０００３】
この種のシステムでは、玄関階ホールのエレベータドア付近にキーリーダが設けられており、このキーリーダの読み取りに基づき居住者の所持するキーが認証されると、エレベータが自動的に玄関階に呼び戻されるようになっている例が多い（例えば特許文献１参照）。
【０００４】
また、最近は携帯電話をはじめとする携帯端末が非常に普及してきており、多くの人が携帯端末を所持するようになっている。この携帯端末を利用したエレベータのセキュリティシステムもいくつか提案されている（例えば特許文献２参照）。
【特許文献１】特開２００７−２４６２５７号公報
【特許文献２】特開２００１−１０６４４４号公報
【発明の開示】
【発明が解決しようとする課題】
【０００５】
一般に、セキュリティシステムにおいては、セキュリティレベルと利便性とは互いにトレードオフの関係にあり、セキュリティレベルを向上させると利便性は低下し、一方、利便性を向上させるとセキュリティレベルが低下する。
【０００６】
特許文献１のシステムの場合、居住者は建物内に入ろうとする場合、ICカード等のキーをポケット又はバッグ等から取り出して、これをキーリーダにかざして認証データを読み取らせる動作を要求されるので、利便性の点でなお改善の余地がある。また、居住者全員又は関係者に付与するICカードが必要になりコスト的にも不利になっている。
【０００７】
また、特許文献２のシステムの場合、現在は広く普及している携帯端末を利用し得る構成となっているが、建物に入場する時点では未だエレベータシステムとは連動せず、乗場の前でようやくエレベータシステムと連動するようになっており、やはり利便性の点で改善の余地がある。また、建物内に携帯端末を検出するための多くのセンサを必要とするため、コスト的にもやはり不利な構成となっている。
【０００８】
本発明は上記事情に鑑みてなされたものであり、セキュリティレベルの低下を招くことなく利便性を向上させ、また、コスト的にも有利なエレベータのセキュリティシステムを提供することを目的としている。
【課題を解決するための手段】
【０００９】
本発明は、上記課題を解決するための手段として、電源オンの状態でワイヤレス信号を発信する携帯端末と、建物の玄関口セキュリティゲートに設置され、建物外より接近中の携帯端末からのワイヤレス発信信号を受信した場合に認証データ要求信号を携帯端末に送信し、この携帯端末から返信される認証データを読み取り、その読取信号を出力する玄関口キーリーダと、玄関口キーリーダからの読取信号を入力して認証処理を行い、認証成功の場合に玄関口セキュリティゲートを開放すると共に、認証データを出力するキー制御装置と、キー制御装置からの認証データを入力し、この認証データに含まれる部屋番号が付加されたエレベータ呼び戻し要求を出力するエレベータインタフェース装置と、エレベータインタフェース装置からのエレベータ呼び戻し要求を入力した場合、部屋番号を参照していずれかの乗りかごを応答かごとして割り当て、この応答かごを玄関階に呼び戻すエレベータ制御装置と、を備えたことを特徴とする。
【発明の効果】
【００１０】
本発明によれば、セキュリティレベルの低下を招くことなく利便性を向上させ、また、コスト的にも有利なエレベータのセキュリティシステムを提供することができる。
【発明を実施するための最良の形態】
【００１１】
図１は、本発明の実施形態に係る建物及びエレベータの概要を示す説明図である。高層マンションなどの建物１内に高層バンク２、中層バンク３、及び低層バンク４が構築されており、各バンクにおいて乗りかご５，６，７が昇降動するようになっている。なお、図面スペースの都合上、各バンクには１つの乗りかごしか図示していないが、実際には１つのバンクは複数の乗りかごにより構成されている。
【００１２】
建物１の玄関口には玄関口セキュリティゲート８が設けられており、この玄関口セキュリティゲート８の上部に玄関口キーリーダ９が設置されている。
【００１３】
図２は、本発明の第１の実施形態に係るエレベータのセキュリティシステムの構成図である。本実施形態に係るシステムは本発明の基本的形態であり、玄関口セキュリティゲート８、玄関口キーリーダ９、携帯端末１０、キー制御装置１１、バンク振り分け部１３及びメール送信部１４を有するエレベータインタフェース装置１２、乗りかご５を制御する高層エレベータ制御装置１５、乗りかご６を制御する中層エレベータ制御装置１６、乗りかご７を制御する低層エレベータ制御装置１７、及びインターネット１８などにより構成されている。
【００１４】
携帯端末１０は送受信部１０ａを有しており、ワイヤレスでの送受信が可能なものである。この携帯端末１０は、例えば建物１の居住者が携帯するものであり、本セキュリティシステムの機能に対応したアプリケーションソフトが予めインストールされている。
【００１５】
玄関口キーリーダ９は、リーダ送受信領域Ｒ内に携帯端末１０が位置している限り、携帯端末１０との間でワイヤレス送受信によりデータの授受を行うことが可能になっており、携帯端末１０から送られてきた認証データを読み取ると、これを読取信号としてキー制御装置１１に出力するようになっている。
【００１６】
キー制御装置１１は、玄関口キーリーダ９から送られてきた読取信号により認証処理を行い、認証が成功した場合に玄関口セキュリティゲート８を開放して、携帯端末１０を携帯する居住者が建物１内に入場するのを許可するようになっている。また、キー制御装置１１は、認証が成功した場合に、その認証データをエレベータインタフェース装置１２に出力するようになっている。
【００１７】
エレベータインタフェース装置１２は、バンク振り分け部１３及びメール送信部１４を有しており、キー制御装置１１から認証データを受け取ると、バンク振り分け部１３が居住者の居住階に応じて高層エレベータ制御装置１５、中層エレベータ制御装置１６、低層エレベータ制御装置１７のいずれかのエレベータ制御装置に対して、乗りかごを玄関階に呼び戻すことを要求するようになっている。また、メール送信部１４は、インターネット１８を介して携帯端末１０に対してメールを送信できるようになっている。
【００１８】
次に、図２の動作につき説明する。いま、建物１の高層階に住んでいる居住者が、携帯端末１０の電源をオンにした状態で建物１の外部から玄関口に向かって歩いている。携帯端末１０はワイヤレス発信信号Ｓ1を発信しており、携帯端末１０がリーダ送受信領域Ｒ内に入ると、玄関口キーリーダ９はこのワイヤレス発信信号Ｓ1を検出する。
【００１９】
玄関口キーリーダ９は、ワイヤレス発信信号Ｓ1を検出すると、認証データ要求信号Ｓ2を携帯端末１０に送信する。携帯端末１０は、この認証データ要求信号Ｓ2に対して、予め与えられている認証データＳ3を玄関口キーリーダ９に返信する。
【００２０】
玄関口キーリーダ９は、この認証データＳ3を読み取ると、これを読取信号Ｓ4としてキー制御装置１１に出力する。玄関口キーリーダ９はこのとき同時に、携帯端末１０が建物１外部方向（図２の左側方向）から移動してきてリーダ送受信領域Ｒ内に存在することを意味する携帯端末検出信号Ｓ5をキー制御装置１１に出力する。但し、携帯端末１０が建物１内部方向（図２の右側方向）から移動してきてリーダ送受信領域Ｒ内に存在している場合（携帯端末１０の所有者が建物１から退去する場合）、玄関口キーリーダ９は携帯端末検出信号Ｓ5を出力しない。
【００２１】
キー制御装置１１は、読取信号Ｓ4を入力すると、これに含まれる認証データに基づき認証処理を行い、認証に成功すると玄関口セキュリティゲート８を開放する。これにより、携帯端末１０を携帯している居住者は玄関口セキュリティゲート８を通って建物１内部に入場することができる。
【００２２】
この場合、居住者は携帯端末１０をポケット又はバッグから取り出し、送受信部１０ａを玄関口キーリーダ９に向けるだけでよく、特別な操作を行う必要はない。したがって、居住者は、玄関口セキュリティゲート８の前で立ち止まることなく、スムースに玄関口セキュリティゲート８を通過することができる。
【００２３】
キー制御装置１１は、また、玄関口セキュリティゲート８を開放すると共に、玄関口キーリーダ９からの読取信号Ｓ4及び携帯端末検出信号Ｓ5を、認証データＳ6及び携帯端末検出信号Ｓ5aとしてエレベータインタフェース装置１２に出力する。
【００２４】
エレベータインタフェース装置１２では、バンク振り分け部１３が入力した認証データＳ6に含まれる部屋番号から、認証された居住者の住居が高層階であることを認識する。したがって、バンク振り分け部１３は、エレベータ制御装置１５〜１７のうちから高層エレベータ制御装置１５を選択し、この高層エレベータ制御装置１５に、部屋番号データを付加したエレベータ呼び戻し要求Ｓ7を出力する。
【００２５】
高層エレベータ制御装置１５は、エレベータインタフェース装置１２からエレベータ呼び戻し要求Ｓ7を入力すると部屋番号データを参照し、高層バンク２に属する複数の乗りかご５から適切なかごを応答かごとして割り当て、この応答かごを玄関階に呼び戻すようにする。そして、このとき高層エレベータ制御装置１５は、玄関階に呼び戻す応答かご（例えば３号機とする）についての号機情報Ｓ8をエレベータインタフェース装置１２に返送する。
【００２６】
号機情報Ｓ8の返送を高層エレベータ制御装置１５から受けたエレベータインタフェース装置１２は、これを号機情報Ｓ8aとして更にキー制御装置１１に返送し、キー制御装置１１はこの号機情報Ｓ8aを号機情報Ｓ8bとして玄関口キーリーダ９に返送する。そして、玄関口キーリーダ９は、返送された号機情報Ｓ8bを号機情報Ｓ8cとして、携帯端末１０に対してワイヤレスで送信する。なお、携帯端末１０は玄関口セキュリティゲート８の手前に図示されているが、この時点では実際には携帯端末１０は玄関口セキュリティゲート８を通過した地点に位置することが多くなると考えられる。
【００２７】
携帯端末１０では、玄関口キーリーダ９から上記の号機情報Ｓ8cを受信すると、エレベータ案内表示のアプリケーションソフトが起動し、玄関階乗場での乗車号機及び待機位置が画面表示される。
【００２８】
図３（ａ）はこの画面表示例であり、携帯端末画面１０ｂは案内図表示画面１０c及びメッセージ表示画面１０dにより構成されている。居住者は、これらの画面から乗車号機が３号機であり、高層バンク用の４台の待機位置のうちの何処で待機すればよいかを直ちに知ることができる。
【００２９】
ところで、上記のように高層エレベータ制御装置１５が３号機を応答号機に割り当てた後、その後の運行状況によって３号機が玄関階に到着するのが遅れ、高層エレベータ制御装置１５は長待ち状態になってしまうと判別する場合がある。このような場合、高層エレベータ制御装置１５は、応答号機を例えば３号機から８号機に変更し、再度、号機情報Ｓ8（号機変更情報）をエレベータインタフェース装置１２に返送する。
【００３０】
エレベータインタフェース装置１２は、前回と同様に、この返送されてきた号機情報Ｓ8を号機情報Ｓ8aとして再度キー制御装置１１に返送しようとする。ところが、前回時点では入力されていた携帯端末検出信号Ｓ5aがこのとき既に入力されなくなっている。これは、携帯端末１０を携帯している居住者が、玄関口セキュリティゲート８を通過した後、玄関階乗場に向かって歩き、既にリーダ送受信領域Ｒ外に移動したためである。したがって、玄関口キーリーダ９が号機変更情報としての号機情報Ｓ8cを送信しても、携帯端末１０はこの号機情報Ｓ8cを受信することができない。
【００３１】
そこで、このように携帯端末検出信号Ｓ5aのエレベータインタフェース装置１２への入力が既になくなっている場合、メール送信部１４が携帯端末１０宛に号機変更情報Ｓ9をインターネット１８上に送信する（メールアドレスは認証データＳ6に含まれている）。したがって、この時点で既にリーダ送受信領域Ｒ外の点線位置に移動している携帯端末１０は号機変更情報Ｓ9を受信することができる。
【００３２】
図３（ｂ）は、この号機変更情報Ｓ9に基づく画面表示例である。居住者は、乗車号機が８号機に変更され、待機位置が反対側に変わったことを直ちに知ることができる。
【００３３】
ここで、玄関口セキュリティゲート８から玄関階乗場までの間に、玄関口キーリーダ９と同様の機能を持ったキーリーダを何台か所定間隔で増設すれば、号機変更情報をこれらのキーリーダを用いてワイヤレスにより携帯端末１０に送信することが可能である。しかし、それではキーリーダの増設分だけコストがアップし、経済的に不利なシステム構成となる。図２の構成によれば、インターネット１８によるメール送信機能を有効利用することにより、安価な構成でありながら号機変更情報Ｓ9を携帯端末１０に送信可能となっている。
【００３４】
図４は、本発明の第２の実施形態の要部構成を示す説明図である。この図４では、本実施形態特有の動作と関わらない構成要素については図示を省略している。また、図２と同様の構成要素には同一符号を付している。
【００３５】
乗りかご５又は６，７のいずれの室内にも、かご内操作盤１９、スピーカ２０、ディスプレイ２１、及びかご内キーリーダ２２が設置されている。かご内キーリーダ２２は、玄関口キーリーダ９と同様の機能を有するものであり、かご室内の携帯端末１０とワイヤレス送受信が可能である。
【００３６】
本実施形態では、高層階に住居を有する居住者が高層バンク２に属する３号機の乗りかご５に本来は乗車すべきところ、誤って中層バンク３に属する２号機の乗りかご６に乗車してしまった場合につき説明する。なお、図面簡略化のため、図４においては、乗りかご６内の携帯端末１０、及び信号Ｓ1〜Ｓ3の図示は省略している。
【００３７】
居住者が携帯端末１０の電源をオンにした状態で乗りかご６に乗車すると、かご内キーリーダ２２は携帯端末１０から発信されるワイヤレス発信信号Ｓ1を検出する。既述した玄関口キーリーダ９の場合と同様に、かご内キーリーダ２２は、ワイヤレス発信信号Ｓ1を検出すると、認証データ要求信号Ｓ2を携帯端末１０に送信する。携帯端末１０は、この認証データ要求信号Ｓ2に対して、認証データＳ3をかご内キーリーダ２２に返信する。
【００３８】
かご内キーリーダ２２は、この認証データＳ3を読み取ると、これを読取信号Ｓ10として中層エレベータ制御装置１６に出力する。中層エレベータ制御装置１６は、この入力した読取信号Ｓ10を読取信号Ｓ10aとしてエレベータインタフェース装置１２に出力し、エレベータインタフェース装置１２はこれを読取信号Ｓ10bとしてキー制御装置１１に出力する。
【００３９】
キー制御装置１１は、この入力した読取信号Ｓ10bにより、乗りかご６内の居住者が間違った号機に乗車したことを判別する。そこで、キー制御装置１１は、間違い乗車通知信号Ｓ11をエレベータインタフェース装置１２に出力する。エレベータインタフェース装置１２は、これを間違い乗車通知信号Ｓ11aとして中層エレベータ制御装置１６に出力する。
【００４０】
中層エレベータ制御装置１６は間違い乗車通知信号Ｓ11aを入力すると、間違い報知音声信号Ｓ12をスピーカ２０に出力すると共に、間違い報知表示信号Ｓ13をディスプレイ２１に出力する。これにより、スピーカ２０は、例えば「このエレベータは中層階行きです。高層階の居住者の方は御乗車できません。」などのメッセージを音声出力し、ディスプレイ２１もこのメッセージの内容を画面表示する。
【００４１】
そして、中層エレベータ制御装置１６は、この高層階の居住者が乗りかご６から降車しない限り、たとえ他の乗客がかご内操作盤１９を操作しても乗りかご６を発車させないようにする。
【００４２】
本実施形態によれば、居住者が間違って本来乗車すべき号機とは異なる号機に乗車したとしても、その間違いを直ちに報知すると共に、乗りかごを発車させないようにしているので、居住者にとっては無駄な時間及び労力を回避することができ、また、システム全体としても必要なセキュリティレベルを維持することができるというメリットを得ることができる。
【００４３】
図５は、本発明の第３の実施形態の要部構成を示す説明図である。第１の実施形態では、セキュリティゲートは玄関口にしか設置されていなかったが、本実施形態ではエレベータ乗場にも設置されている。また、本実施形態では従来システムと同様に、インターホンの利用によりセキュリティゲートを開放できるようになっている。
【００４４】
すなわち、建物１の内部にはビル内セキュリティゾーンＺ1、及びエレベータセキュリティゾーンＺ2が形成されている。そして、ビル内セキュリティゾーンＺ1の入り口には、既述した玄関口セキュリティゲート８及び玄関口キーリーダ９が設置されており、エレベータセキュリティゾーンＺ2の入り口には、乗場セキュリティゲート２３及び乗場キーリーダ２４が設置されている。
【００４５】
また、玄関口セキュリティゲート８付近には玄関インターホン２５が設置され、乗場セキュリティゲート２３付近には乗場インターホン２６が設置されている。住居インターホン２７は、ある階床の住居内に設置されている。これらインターホン２５〜２７からの信号はインターホン制御装置２８に入力されるようになっており、このインターホン制御装置２８を介して、玄関インターホン２５又は乗場インターホン２６と、住居インターホン２７との間で通話ができるようになっている。
【００４６】
また、インターホン制御装置２８は、住居インターホン２７からの所定操作信号の入力により、玄関口セキュリティゲート８及び乗場セキュリティゲート２３を開放できるようになっている。そして、インターホン制御装置２８は、玄関口セキュリティゲート８（又は乗場セキュリティゲート２３）を開放すると同時に、エレベータインタフェース装置１２にエレベータ呼び戻し要求（居住者の部屋番号が付加されている）を出力するようになっている。
【００４７】
次に、来訪者が居住者を訪問した場合における図５の動作を説明する。なお、この場合の来訪者は、携帯端末を持っていないか、持っていたとしてもその携帯端末には本システムに必要な機能又はアプリケーションソフトが具備されていない場合を想定している。
【００４８】
来訪者は、まず、居住者から聞いていた部屋番号を入力する操作を玄関インターホン２５に行う。これにより、インターホン制御装置２８は、住居インターホン２７に対して呼び出しを行う。
【００４９】
居住者は住居インターホン２７の送受話器を取り、来訪者と通話を行い、来訪者が本人に間違いないことを確認すると、住居インターホン２７に所定操作を行う。インターホン制御装置２８は、住居インターホン２７からの操作信号の入力に基づき玄関口セキュリティゲート８を開放し、ビル内セキュリティゾーンＺ1への入場を許可する。このとき、インターホン制御装置２８は、エレベータインタフェース装置１２にエレベータ呼び戻し要求を出力する。
【００５０】
次いで、来訪者は玄関口セキュリティゲート８を通過した後、乗場セキュリティゲート２３の前まで移動し、乗場インターホン２６に上記と同様の操作を行う。居住者は住居インターホン２７で再び来訪者と通話した後、住居インターホン２７に所定操作を行い、これによりインターホン制御装置２８は乗場セキュリティゲート２３を開放し、エレベータセキュリティゾーンＺ2への入場を許可する。
【００５１】
そして、乗場セキュリティゲート２３を通過した来訪者がエレベータ乗場に到着すると、インターホン制御装置２８が既にエレベータインタフェース装置１２にエレベータ呼び戻し要求をかけていたので、居住者の居住階を目的階した呼び登録が既に行われている乗りかごが戸開待機しており、来訪者は直ちに乗車することができる。
【００５２】
このように、本実施形態によれば、携帯端末を持っていない来訪者、又は持っていたとしてもその携帯端末には本システムに必要な機能又はアプリケーションソフトが具備されていない来訪者であっても建物１に入場することが可能である。
【００５３】
図６は、本発明の第４の実施形態の要部構成を示す説明図である。図５の第３の実施形態で説明したように、来訪者が本システムに必要な機能又はアプリケーションソフトが具備されていない携帯端末しか所持していない場合、来訪者はインターホン２５，２６に入力操作を行って居住者を呼び出してセキュリティゲート８，２３を開放してもらわなければならず煩わしい思いをする。また、居住者にとっても、その間住居インターホン２７の前で待機している必要があるので、来訪者と同様に煩わしい思いをする。本実施形態は、このような煩わしさを軽減するためのものである。
【００５４】
図６において、１０Ａは、来訪予定者が所持する、本システムに必要な機能又はアプリケーションソフトが具備されていない携帯端末である。１０Ｂは、居住者が所持する携帯端末であり、勿論、本システムに必要な機能又はアプリケーションソフトが具備されている。これらの携帯端末１０Ａ，１０Ｂはインターネット１８に接続可能なものである。
【００５５】
そして、インターネット１８に予約認証サーバ２９が接続されている。この予約認証サーバ２９は、認証許可等のデータをキー制御装置１１に出力するようになっている。キー制御装置１１は、図２で既述したのと同様のものであり、玄関口キーリーダ９からの読取信号Ｓ4を入力して認証処理を行い、認証成功の場合に玄関口セキュリティゲート８を開放するようになっている。
【００５６】
次に、この図６の動作につき説明する。居住者は、来訪予定者の来訪予定日時及びメールアドレスを知っているので、本システムのインターネット上のホームページにログインし、所定手続きを経て予約認証サーバ２９に対して来訪予定日時及びメールアドレスを登録する。
【００５７】
予約認証サーバ２９は、この登録が行われると、来訪予定日時及び有効期限が付された認証許可データを来訪予定者の携帯端末１０Ａにメール送信する。これと共に、予約認証サーバ２９は、この認証許可データをキー制御装置１１に出力し、このデータをキー制御装置１１に保持させるようにする。
【００５８】
有効期限付きの認証許可データを付与された来訪予定者の携帯端末１０Ａは、本システムのホームページにログインすることができ、予約認証サーバ２９から本システムに必要な機能又はアプリケーションソフトをダウンロードすることができる。
【００５９】
そして、来訪予定日時が到来すると、来訪予定者は携帯端末１０Ａの電源をオンにして玄関口セキュリティゲート８に接近する。すると、玄関口キーリーダ９は図２で既述したような過程を経て読取信号Ｓ4をキー制御装置１１に出力する。キー制御装置１１は、この読取信号Ｓ4に基づき認証処理を行い、認証成功すると玄関口セキュリティゲート８を開放させる。以降の動作は、図２と同様であるため説明を省略する。
【００６０】
本実施形態によれば、来訪予定者の携帯端末１０Ａは、来訪予定日時においては居住者の携帯端末１０Ｂと同様の機能を具備することができるので、来訪予定者及び居住者の双方が、図５のインターホンを用いたときのような煩わしさを回避することができるようになる。
【図面の簡単な説明】
【００６１】
【図１】本発明の実施形態に係る建物及びエレベータの概要を示す説明図。
【図２】本発明の第１の実施形態に係るエレベータのセキュリティシステムの構成図。
【図３】図２における携帯端末１０の画面表示例の説明図であり、（ａ）は乗車号機変更前、（ｂ）は乗車号機変更後を示す。
【図４】本発明の第２の実施形態の要部構成を示す説明図。
【図５】本発明の第３の実施形態の要部構成を示す説明図。
【図６】本発明の第４の実施形態の要部構成を示す説明図。
【符号の説明】
【００６２】
１：建物
２：高層バンク
３：中層バンク
４：低層バンク
５，６，７：乗りかご
８：玄関口セキュリティゲート
９：玄関口キーリーダ
１０：携帯端末
１０ａ：送受信部
１０ｂ：携帯端末画面
１０ｃ：案内図表示画面
１０ｄ：メッセージ表示画面
１０A：来訪予定者の携帯端末
１０B：居住者の携帯端末
１１：キー制御装置
１２：エレベータインタフェース装置
１３：バンク振り分け部
１４：メール送信部
１５：高層エレベータ制御装置
１６：中層エレベータ制御装置
１７：低層エレベータ制御装置
１８：インターネット
１９：かご内操作盤
２０：スピーカ
２１：ディスプレイ
２２：かご内キーリーダ
２３：乗場セキュリティゲート
２４：乗場キーリーダ
２５：玄関インターホン
２６：乗場インターホン
２７：住居インターホン
２８：インターホン制御装置
２９：予約認証サーバ
Ｒ：リーダ送受信領域
Ｓ1：ワイヤレス発信信号
Ｓ2：認証データ要求信号
Ｓ3：認証データ
Ｓ4：読取信号
Ｓ5，Ｓ5a：携帯端末検出信号
Ｓ6：認証データ
Ｓ7：エレベータ呼び戻し要求
Ｓ8，Ｓ8a，Ｓ8b，Ｓ8c：号機情報
Ｓ9：号機変更情報
Ｓ10，Ｓ10a，Ｓ10b：読取信号
Ｓ11，Ｓ11a：間違い乗車通知信号
Ｓ12：間違い報知音声信号
Ｓ13：間違い報知表示信号
Ｚ1：ビル内セキュリティゾーン
Ｚ2：エレベータセキュリティゾーン
【図１】
2009220924.tif 000003
【図２】
2009220924.tif 000004
【図３】
2009220924.tif 000005
【図４】
2009220924.tif 000006
【図５】
2009220924.tif 000007
【図６】
2009220924.tif 000008
【手続補正書】
【提出日】平成20年4月3日(2008.4.3)
【手続補正１】
【補正対象書類名】図面
【補正対象項目名】全図
【補正方法】変更
【補正の内容】
【図１】
2009220924.tif 000009
【図２】
2009220924.tif 000010
【図３】
2009220924.tif 000011
【図４】
2009220924.tif 000012
【図５】
2009220924.tif 000013
【図６】
2009220924.tif 000014